(57)【要約】【課題】フォーカシングレンズ群がコンパクトでフォーカシングレンズ群移動時の像倍率変化の小さいズームレンズ系を提供する。【解決手段】本発明に係るズームレンズ系は、物体側から像側へ向けて順に、負のパワ−を有する第１レンズ群Ｇ１と、正のパワ−を有する第２レンズ群Ｇ２と、第３レンズ群Ｇ３と、第４レンズ群Ｇ４とを備える。第１レンズ群Ｇ１は、物体側から像側へと順に、負のパワーを有し、像側に凹面を向けた負メニスカス形状の第１レンズ素子Ｌ１と、負のパワーを有し、像側に凹面を向けた負メニスカス形状の第２レンズ素子Ｌ２と、負のパワーを有し、像側に凹面を向けた負メニスカス形状の第３レンズ素子Ｌ３とを含む。第１レンズ群Ｇ１を構成するレンズ素子の少なくとも１つが非球面レンズである。【選択図】図１
2010176097.tif 000002
【特許請求の範囲】
【請求項１】
複数のレンズ群を含み、レンズ群同士の間隔を変化させることによってズーミングを行うズームレンズ系であって、
物体側から像側へ向けて順に、
負のパワ−を有する第１レンズ群と、
正のパワ−を有する第２レンズ群と、
第３レンズ群と、
第４レンズ群とを備え、
前記第１レンズ群は、物体側から像側へと順に、
負のパワーを有し、像側に凹面を向けた負メニスカス形状の第１レンズ素子と、
負のパワーを有し、像側に凹面を向けた負メニスカス形状の第２レンズ素子と、
負のパワーを有し、像側に凹面を向けた負メニスカス形状の第３レンズ素子とを含み、
前記第１レンズ群を構成するレンズ素子の少なくとも１つが非球面レンズである、ズームレンズ系。
【請求項２】
フォーカシングに際して、前記第２レンズ群より像側に配置されるレンズ群が光軸に沿った方向に移動する、請求項１に記載のズームレンズ系。
【請求項３】
以下の条件を満足する、請求項１または２に記載のズームレンズ系：
２．３＜（Ｒ11＋Ｒ12）／（Ｒ11―Ｒ12）＜１０  ・・・（７）
ここで、
Ｒ11：第１レンズ群内で最も物体側のレンズ素子の物体側曲率半径、
Ｒ12：第１レンズ群内で最も物体側のレンズ素子の像側曲率半径、
である。
【請求項４】
以下の条件を満足する、請求項１または２に記載のズームレンズ系：
２．３＜（Ｒ21＋Ｒ22）／（Ｒ21―Ｒ22）＜１０  ・・・（８）
ここで、
Ｒ21：第１レンズ群内で物体側から２番目のレンズ素子の物体側曲率半径、
Ｒ22：第１レンズ群内で物体側から２番目のレンズ素子の像側曲率半径、
である。
【請求項５】
以下の条件を満足する、請求項１または２に記載のズームレンズ系：
２．３＜（Ｒ31＋Ｒ32）／（Ｒ31―Ｒ32）＜１０  ・・・（９）
ここで、
Ｒ31：第１レンズ群内で物体側から３番目のレンズ素子の物体側曲率半径、
Ｒ32：第１レンズ群内で物体側から３番目のレンズ素子の像側曲率半径、
である。
【請求項６】
前記第３レンズ素子が非球面レンズである、請求項１〜５のいずれかに記載のズームレンズ系。
【請求項７】
前記第１レンズ群に含まれる非球面レンズは、物体側面が球面で、像側面が非球面のガラスレンズである、請求項１〜６記載のズームレンズ系。
【請求項８】
前記第１レンズ群は、
負のパワーを有し、前記第３レンズ素子より像側に配置される第４レンズ素子と、
正のパワーを有し、前記第４レンズ素子より像側に配置される第５レンズ素子とを更に
含む、請求項１〜７のいずれかに記載のズームレンズ系。
【請求項９】
以下の条件を満足する、請求項１〜８のいずれかに記載のズームレンズ系：
ＤＩＳW＜−８  ・・・（６）
ここで、
ＤＩＳW：広角端の最大像高での歪曲収差（％）、
である。
【請求項１０】
以下の条件を満足する、請求項１〜８のいずれかに記載のズームレンズ系：
−０．６５＜ｆW／ｆ1＜−０．４５  ・・・（１）
ここで、
ｆ1：第１レンズ群の焦点距離、
ｆW：全系の広角端での焦点距離、
である。
【請求項１１】
以下の条件を満足する、請求項１〜８のいずれかに記載のズームレンズ系：
０．１＜ｆW／ｆ2＜０．３  ・・・（２）
ここで、
ｆ2：第２レンズ群の焦点距離、
ｆW：全系の広角端での焦点距離、
である。
【請求項１２】
以下の条件を満足する、請求項１〜８のいずれかに記載のズームレンズ系：
０．２５＜ｆW／ｆ3＜０．５  ・・・（３）
ここで、
ｆ3：第３レンズ群の焦点距離、
ｆW：全系の広角端での焦点距離、
である。
【請求項１３】
以下の条件を満足する、請求項１〜８のいずれかに記載のズームレンズ系：
−０．１＜ｆW／ｆ4＜−０．０５  ・・・（４）
ここで、
ｆ4：第４レンズ群の焦点距離、
ｆW：全系の広角端での焦点距離、
である。
【請求項１４】
請求項１に記載のズームレンズ系と、
前記ズームレンズ系が形成する光学像を受光して、電気的な画像信号に変換する撮像センサとを含むカメラ本体と接続されるカメラマウント部とを備える、交換レンズ装置。
【請求項１５】
請求項１に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系、詳しくは、いわゆるレンズ交換式デジタルカメラの交換レンズ装置に用いられる撮像レンズ系として好適なズームレンズ系に関する。また、本発明は、上記ズームレンズ系を内蔵した交換レンズ装置、及びカメラシステムに関する。
【背景技術】
【０００２】
近年、レンズ交換式デジタルカメラシステムが急速に普及している。レンズ交換式デジタルカメラシステム（単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサを持つカメラ本体と、撮像センサの受光面に光学像を形成するための撮像レンズ系を備えた交換レンズ装置とを備える。特許文献１〜８は、このようなレンズ交換式デジタルカメラに適用可能なズームレンズ系を開示している。
【０００３】
一方、撮影レンズ系及び撮像センサによって生成された画像データをカメラ本体の液晶ディスプレイなどの表示装置に表示する機能（以下、「ライブビュー機能」という）を持つカメラシステムがある（例えば、特許文献９及び特許文献１０）。
【特許文献１】特開２００５−２８４０９７号公報
【特許文献２】特開２００５−３５２０５７号公報
【特許文献３】特開２００６−２２１０９２号公報
【特許文献４】特開２００５−３１６３９６号公報
【特許文献５】特開２００６−２６７４２５号公報
【特許文献６】特開２００７−２１９３１５号公報
【特許文献７】特開２００８−３１９５号公報
【特許文献８】特開２００８−１５２５１号公報
【特許文献９】特開２０００−１１１７８９号公報
【特許文献１０】特開２０００−３３３０６４号公報
【発明の開示】
【発明が解決しようとする課題】
【０００４】
特許文献９および特許文献１０記載のカメラシステムは、ライブビュー機能を動作させている場合、コントラストＡＦ方式により合焦動作を行う。コントラストＡＦとは、撮像センサからの画像データのコントラスト値に基づく合焦動作である。以下、コントラストＡＦの動作を説明する。
【０００５】
はじめに、カメラシステムは、フォーカシングレンズ群を光軸方向に高速で振動させて（以下、「ウォブリング」という）合焦状態からのズレ方向を検出する。ウォブリングの後、カメラシステムは、撮像センサの出力信号から画像領域の特定の周波数帯の信号成分を検出して、合焦状態となるフォーカシングレンズ群の最適位置を演算により算出する。その後、カメラシステムは、その最適位置にフォーカシングレンズ群を移動させて合焦動作を完了する。動画などで連続して合焦動作を行う場合、カメラシステムは、この一連の動作を繰り返す。
【０００６】
一般に、動画の表示は、フリッカなどによる違和感を生じないようにするために、例えば３０フレーム／秒程度の高速で行われる。したがって、レンズ交換式デジタルカメラにおける動画撮影も、基本的には同じ３０フレーム／秒で行わなければならない。そのため、フォーカシングレンズ群は、ウォブリング時に３０Ｈｚの高速に駆動する必要がある。
【０００７】
ところが、フォーカシングレンズ群の重量が大きいと、フォーカシングレンズ群を高速に移動させるモータやアクチュエータが大きくなってしまう。このため、鏡筒の最大径が、大きくなってしまうという問題がある。ところが、特許文献１〜８に記載のズームレンズ系は、フォーカシングレンズ群が軽量とは言い難い。
【０００８】
また、レンズ交換式デジタルカメラでは、ウォブリング時に被写体に対応する画像の大きさが変化することに注意する必要がある。画像の大きさの変化は、主に、フォーカシングレンズ群の光軸方向への移動によりレンズ系全体の焦点距離が変化することに起因する。ウォブリングによる撮影倍率の変化が大きい場合、撮影者は違和感を生じてしまう。
【０００９】
本発明の目的は、フォーカシングレンズ群がコンパクトでフォーカシングレンズ群移動時の像倍率変化の小さいズームレンズ系、ズームレンズ系を有する交換レンズ装置、及びカメラシステムを提供することである。
【課題を解決するための手段】
【００１０】
本発明に係るズームレンズ系は、複数のレンズ群を含み、レンズ群同士の間隔を変化させることによってズーミングを行うズームレンズ系であって、物体側から像側へ向けて順に、負のパワ−を有する第１レンズ群と、正のパワ−を有する第２レンズ群と、第３レンズ群と、第４レンズ群とを備える。第１レンズ群は、物体側から像側へと順に、負のパワーを有し、像側に凹面を向けた負メニスカス形状の第１レンズ素子と、負のパワーを有し、像側に凹面を向けた負メニスカス形状の第２レンズ素子と、負のパワーを有し、像側に凹面を向けた負メニスカス形状の第３レンズ素子とを含む。第１レンズ群を構成するレンズ素子の少なくとも１つが非球面レンズである。
【００１１】
また、本発明に係る交換レンズ装置は、上記のズームレンズ系と、ズームレンズ系が形成する光学像を受光して、電気的な画像信号に変換する撮像センサを含むカメラ本体と接続されるカメラマウント部とを備える。
【００１２】
更に、本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１３】
本発明によれば、フォーカシングレンズ群がコンパクトでフォーカシングレンズ群移動時の像倍率変化の小さいズームレンズ系、ズームレンズ系を有する交換レンズ装置、及びカメラシステムを提供することができる。
【発明を実施するための最良の形態】
【００１４】
図１、３、５、７、９、１１は、それぞれ、実施の形態１、２、３、４、５、６に係るズームレンズ系のレンズ配置図であり、いずれも無限遠合焦状態にあるズームレンズ系を表している。
【００１５】
各図において、（ａ）図は広角端（最短焦点距離状態：焦点距離ｆW）のレンズ構成、
（ｂ）図は、中間位置（中間焦点距離状態：焦点距離ｆM＝√（ｆW＊ｆT））のレンズ構
成、（ｃ）図は望遠端（最長焦点距離状態：焦点距離ｆT）のレンズ構成をそれぞれ表し
ている。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続さ
れているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１６】
図１、３、５、７、９、１１において、特定の面に付されたアスタリスク＊は、該面が非球面であることを示している。また各図において、各レンズ群の符号に付された記号（＋）及び記号（−）は、各レンズ群のパワーの符号に対応する。更に各図において、最も右側に記載された直線は、像面Ｓの位置を表す。像面Ｓの物体側には、光学的ローパスフィルタや撮像素子のフェースプレート等と等価な平行平板Ｐが設けられている。更に各図において、隣接するレンズ素子間に記載された直線は、開口絞りＡの位置を表す。
【００１７】
（実施の形態１）
実施の形態１に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００１８】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。第３レンズ素子Ｌ３の像側面は、非球面である。
【００１９】
第２レンズ群Ｇ２は、物体側から像側へと順に、物体側に凸面を向けた負メニスカス形状の第６レンズ素子Ｌ６と、物体側に凸面を向けた正メニスカス形状の第７レンズ素子Ｌ７とからなる。第６レンズ素子Ｌ６と第７レンズ素子Ｌ７とは接合されている。
【００２０】
第３レンズ群Ｇ３は、物体側から像側へと順に、物体側に凸面を向けた負メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１と、像側に凸面を向けた正メニスカス形状の第１２レンズ素子Ｌ１２と、両凸形状の第１３レンズ素子Ｌ１３とからなる。第８レンズ素子Ｌ８と第９レンズ素子Ｌ９とが接合されると共に、第１０レンズ素子Ｌ１０と第１１レンズ素子Ｌ１１とが接合されている。
【００２１】
第４レンズ群Ｇ４は、物体側に凸面を向けた負メニスカス形状の第１４レンズ素子Ｌ１４からなる。
【００２２】
第５レンズ群Ｇ５は、物体側から像側へと順に、物体側に凸面を向けた負メニスカス形状の第１５レンズ素子Ｌ１５と、両凸形状の第１６レンズ素子Ｌ１６とからなる。第１５レンズ素子Ｌ１５と第１６レンズ素子Ｌ１６とは接合されている。また、第１６レンズ素子Ｌ１６の像側面は、非球面である。
【００２３】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端より望遠端で短く、第３レンズ群Ｇ３と第４レンズ群Ｇ４との空気間隔が広角端より望遠端で短く、第４レンズ群Ｇ４と第５レンズ群Ｇ５との空気間隔が広角端より望遠端で長くなるように、複数のレンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。第５レンズ群Ｇ５は
、ズーミングに際して、像面Ｓに対して固定されている。開口絞りＡは、第２レンズ群Ｇ２と共に物体側に移動する。
【００２４】
また、無限遠合焦状態から近接合焦状態へのフォーカシングに際して、第４レンズ群Ｇ４が光軸に沿って像側へと移動する。
【００２５】
（実施の形態２）
実施の形態２に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００２６】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは接合されている。また、第３レンズ素子Ｌ３の像側面は、非球面である。
【００２７】
第２レンズ群Ｇ２は、物体側から像側へと順に、物体側に凸面を向けた負メニスカス形状の第６レンズ素子Ｌ６と、物体側に凸面を向けた正メニスカス形状の第７レンズ素子Ｌ７とからなる。第６レンズ素子Ｌ６と第７レンズ素子Ｌ７とは接合されている。
【００２８】
第３レンズ群Ｇ３は、物体側から像側へと順に、物体側に凸面を向けた負メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１と、像側に凸面を向けた正メニスカス形状の第１２レンズ素子Ｌ１２と、両凸形状の第１３レンズ素子Ｌ１３とからなる。第８レンズ素子Ｌ８と第９レンズ素子Ｌ９とが接合されると共に、第１０レンズ素子Ｌ１０と第１１レンズ素子Ｌ１１とが接合されている。
【００２９】
第４レンズ群Ｇ４は、物体側に凸面を向けた負メニスカス形状の第１４レンズ素子Ｌ１４からなる。
【００３０】
第５レンズ群Ｇ５は、物体側から像側へと順に、物体側に凸面を向けた負メニスカス形状の第１５レンズ素子Ｌ１５と、両凸形状の第１６レンズ素子Ｌ１６とからなる。第１５レンズ素子Ｌ１５と第１６レンズ素子Ｌ１６とは接合されている。また、第１６レンズ素子Ｌ１６の像側面は、非球面である。
【００３１】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端より望遠端で短く、第３レンズ群Ｇ３と第４レンズ群Ｇ４との空気間隔が広角端より望遠端で短く、第４レンズ群Ｇ４と第５レンズ群Ｇ５との空気間隔が広角端より望遠端で長くなるように、複数のレンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。第５レンズ群Ｇ５は、ズーミングに際して、像面Ｓに対して固定されている。開口絞りＡは、第２レンズ群Ｇ２と共に物体側に移動する。
【００３２】
また、無限遠合焦状態から近接合焦状態へのフォーカシングに際して、第４レンズ群Ｇ４が光軸に沿って像側へと移動する。
【００３３】
（実施の形態３）
実施の形態３に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００３４】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは接合されている。また、第３レンズ素子Ｌ３の像側面は、非球面である。
【００３５】
第２レンズ群Ｇ２は、物体側から像側へと順に、物体側に凸面を向けた負メニスカス形状の第６レンズ素子Ｌ６と、物体側に凸面を向けた正メニスカス形状の第７レンズ素子Ｌ７とからなる。第６レンズ素子Ｌ６と第７レンズ素子Ｌ７とは接合されている。
【００３６】
第３レンズ群Ｇ３は、物体側から像側へと順に、像側に凹面を向けた平凹形状の第８レンズ素子Ｌ８と、両凸形状の第９レンズ素子Ｌ９と、両凹形状の第１０レンズ素子Ｌ１０と、両凸形状の第１１レンズ素子Ｌ１１と、両凸形状の第１２レンズ素子Ｌ１２とからなる。第８レンズ素子Ｌ８と第９レンズ素子Ｌ９とが接合されると共に、第１０レンズ素子Ｌ１０と第１１レンズ素子Ｌ１１とが接合されている。
【００３７】
第４レンズ群Ｇ４は、物体側に凸面を向けた負メニスカス形状の第１３レンズ素子Ｌ１３からなる。
【００３８】
第５レンズ群Ｇ５は、物体側から像側へと順に、両凹形状の第１４レンズ素子Ｌ１４と、両凸形状の第１５レンズ素子Ｌ１５とからなる。第１４レンズ素子Ｌ１４と第１５レンズ素子Ｌ１５とは接合されている。また、第１５レンズ素子Ｌ１５の像側面は、非球面である。
【００３９】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端と望遠端とでほぼ変化せず、第３レンズ群Ｇ３と第４レンズ群Ｇ４との空気間隔が広角端より望遠端で短く、第４レンズ群Ｇ４と第５レンズ群Ｇ５との空気間隔が広角端より望遠端で長くなるように、複数のレンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。第５レンズ群Ｇ５は、ズーミングに際して、像面Ｓに対して固定されている。開口絞りＡは、第２レンズ群Ｇ２と共に物体側に移動する。
【００４０】
また、無限遠合焦状態から近接合焦状態へのフォーカシングに際して、第４レンズ群Ｇ４が光軸に沿って像側へと移動する。
【００４１】
（実施の形態４）
実施の形態４に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００４２】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは接合されている。また、第３レンズ素子Ｌ３の像側面は、非球面である。
【００４３】
第２レンズ群Ｇ２は、物体側から像側へと順に、物体側に凸面を向けた負メニスカス形状の第６レンズ素子Ｌ６と、物体側に凸面を向けた正メニスカス形状の第７レンズ素子Ｌ７とからなる。第６レンズ素子Ｌ６と第７レンズ素子Ｌ７とは接合されている。第７レンズ素子Ｌ７の像側面は、非球面である。
【００４４】
第３レンズ群Ｇ３は、物体側から像側へと順に、物体側に凸面を向けた負メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１と、両凸形状の第１２レンズ素子Ｌ１２とからなる。第８レンズ素子Ｌ８と第９レンズ素子Ｌ９とが接合されると共に、第１０レンズ素子Ｌ１０と第１１レンズ素子Ｌ１１とが接合されている。
【００４５】
第４レンズ群Ｇ４は、物体側に凸面を向けた負メニスカス形状の第１３レンズ素子Ｌ１３からなる。
【００４６】
第５レンズ群Ｇ５は、物体側から像側へと順に、両凹形状の第１４レンズ素子Ｌ１４と、両凸形状の第１５レンズ素子Ｌ１５とからなる。第１４レンズ素子Ｌ１４と第１５レンズ素子Ｌ１５とは接合されている。また、第１５レンズ素子Ｌ１５の像側面は、非球面である。
【００４７】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端より望遠端で短く、第３レンズ群Ｇ３と第４レンズ群Ｇ４との空気間隔が広角端と望遠端とでほぼ変化せず、第４レンズ群Ｇ４と第５レンズ群Ｇ５との空気間隔が広角端より望遠端で長くなるように、複数のレンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。第５レンズ群Ｇ５は、ズーミングに際して、像面Ｓに対して固定されている。開口絞りＡは、第２レンズ群Ｇ２と共に物体側に移動する。
【００４８】
また、無限遠合焦状態から近接合焦状態へのフォーカシングに際して、第４レンズ群Ｇ４が光軸に沿って像側へと移動する。
【００４９】
（実施の形態５）
実施の形態５に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００５０】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とから
なる。第４レンズ素子Ｌ４と第５レンズ素子Ｌ５とは接合されている。また、第３レンズ素子Ｌ３の像側面は、非球面である。
【００５１】
第２レンズ群Ｇ２は、物体側から像側へと順に、物体側に凸面を向けた負メニスカス形状の第６レンズ素子Ｌ６と、物体側に凸面を向けた正メニスカス形状の第７レンズ素子Ｌ７とからなる。第６レンズ素子Ｌ６と第７レンズ素子Ｌ７とは接合されている。また、第７レンズ素子Ｌ７の像側面は、非球面である。
【００５２】
第３レンズ群Ｇ３は、物体側から像側へと順に、両凹形状の第８レンズ素子Ｌ８と、両凸形状の第９レンズ素子Ｌ９と、両凹形状の第１０レンズ素子Ｌ１０と、両凸形状の第１１レンズ素子Ｌ１１と、両凸形状の第１２レンズ素子Ｌ１２とからなる。第８レンズ素子Ｌ８と第９レンズ素子Ｌ９とが接合され、第１０レンズ素子Ｌ１０と第１１レンズ素子Ｌ１１とが接合されている。
【００５３】
第４レンズ群Ｇ４は、物体側に凸面を向けた負メニスカス形状の第１３レンズ素子Ｌ１３からなる。
【００５４】
第５レンズ群Ｇ５は、物体側から像側へと順に、物体側に凸面を向けた負メニスカス形状の第１４レンズ素子Ｌ１４と、両凸形状の第１５レンズ素子Ｌ１５とからなる。第１５レンズ素子Ｌ１５の像側面は、非球面である。
【００５５】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端より望遠端で短く、第３レンズ群Ｇ３と第４レンズ群Ｇ４との空気間隔が広角端と望遠端とでほぼ変化せず、第４レンズ群Ｇ４と第５レンズ群Ｇ５との空気間隔が広角端より望遠端で長くなるように、複数のレンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。第５レンズ群Ｇ５は、ズーミングに際して、像面Ｓに対して固定されている。開口絞りＡは、第２レンズ群Ｇ２と共に物体側に移動する。
【００５６】
また、無限遠合焦状態から近接合焦状態へのフォーカシングに際して、第４レンズ群Ｇ４が光軸に沿って像側へと移動する。
【００５７】
（実施の形態６）
実施の形態６に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４とを備える。
【００５８】
第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。第４レンズ素子Ｌ４と第５レンズ素子Ｌ５とは接合されている。また、第２レンズ素子Ｌ２の物体側面は、非球面である。
【００５９】
第２レンズ群Ｇ２は、物体側から像側へと順に、両凸形状の第６レンズ素子Ｌ６と、像側に凸面を向けた負メニスカス形状の第７レンズ素子Ｌ７とからなる。第６レンズ素子Ｌ６と第７レンズ素子Ｌ７とは接合されている。また、第６レンズ素子Ｌ６の物体側面は、非球面である。
【００６０】
第３レンズ群Ｇ３は、物体側から像側へと順に、物体側に凸面を向けた負メニスカス形状の第８レンズ素子Ｌ８と、両凸形状の第９レンズ素子Ｌ９と、物体側に凸面を向けた正メニスカス形状の第１０レンズ素子Ｌ１０とからなる。第８レンズ素子Ｌ８と第９レンズ素子Ｌ９とは接合されている。
【００６１】
第４レンズ群Ｇ４は、物体側から像側へと順に、像側に凸面を向けた正メニスカス形状の第１１レンズ素子Ｌ１１と、像側に凸面を向けた負メニスカス形状の第１２レンズ素子Ｌ１２と、両凹形状の第１３レンズ素子Ｌ１３と、両凸形状の第１４レンズ素子Ｌ１４とからなる。第１２レンズ素子Ｌ１２と第１３レンズ素子Ｌ１３とは接合されている。また、第１１レンズ素子Ｌ１１の物体側面は、非球面である。
【００６２】
ズーミングに際して、第１レンズ群Ｇ１と第２レンズ群Ｇ２との空気間隔が広角端より望遠端で短く、第２レンズ群Ｇ２と第３レンズ群Ｇ３との空気間隔が広角端より望遠端で長く、第３レンズ群Ｇ３と第４レンズ群Ｇ４との空気間隔が広角端より望遠端で長くなるように、各レンズ群が光軸に沿って移動する。より詳細には、広角端から望遠端へのズーミングに際して、第１レンズ群Ｇ１が光軸に沿って像側へ移動し、第２レンズ群Ｇ２、第３レンズ群Ｇ３及び第４レンズ群Ｇ４が光軸に沿って物体側に移動する。開口絞りＡは、第３レンズ群Ｇ３と共に物体側に移動する。
【００６３】
また、無限遠合焦状態から近接合焦状態へのフォーカシングに際して、第２レンズ群Ｇ２が光軸に沿って像側へと移動する。
【００６４】
以下、各実施の形態に係るズームレンズ系が満足すべき条件を説明する。なお、各実施の形態に係るズームレンズ系において、複数の満足すべき条件が規定されるが、適合する条件をできるだけ多く満足するズームレンズ系の構成が最も望ましい。しかしながら、個別の条件を満足することにより、それぞれ対応する効果を奏するズームレンズ系を得ることも可能である。
【００６５】
各実施の形態に係るズームレンズ系は、以下の条件を満足することが望ましい。
−０．６５＜ｆW／ｆ1＜−０．４５  ・・・（１）
ここで、
ｆ1：第１レンズ群の焦点距離、
ｆW：全系の広角端での焦点距離、
である。
【００６６】
条件（１）は、全系の焦点距離と第１レンズ群の焦点距離との比を規定する。条件（１）の上限を超えると、非点収差や歪曲収差の補正が困難となるので、像周辺部の性能を良好にすることが困難となる。また、条件（１）の下限を下回ると、レンズ全長が大きくなると同時に、第１レンズ群の径が大きくなるので、小型化が困難となる。
【００６７】
各実施の形態に係るズームレンズ系は、以下の条件を満足することが望ましい。
０．１＜ｆW／ｆ2＜０．３  ・・・（２）
ここで、
ｆ2：第２レンズ群の焦点距離、
ｆW：全系の広角端での焦点距離、
である。
【００６８】
条件（２）は、全系の焦点距離と第２レンズ群の焦点距離との比を規定する。条件（２）の上限を超えると、レンズ全長が大きくなり小型化が困難となると同時に、中間〜望遠
域におけるいわゆるコマ収差の良好な補正が困難となる。また、条件（２）の下限を下回ると、第２レンズ群と後続の第３レンズ群とに屈折パワーを分割し間隔をズームにより変化させることで得られる像面湾曲補正の効果がなくなるので、像周辺部の性能を良好にすることが困難となる。
【００６９】
各実施の形態に係るズームレンズ系は、以下の条件を満足することが望ましい。
０．２５＜ｆW／ｆ3＜０．５  ・・・（３）
ここで、
ｆ3：第３レンズ群の焦点距離、
ｆW：全系の広角端での焦点距離、
である。
【００７０】
条件（３）は、全系の焦点距離と第３レンズ群の焦点距離との比を規定する。条件（３）の上限を超えると、軸上付近の性能に関する球面収差やコマ収差の補正が困難になり、また、第３レンズ群の前後のレンズ群との間隔が不足するので、ズームレンズ系の構成が困難となる。また、条件（３）の下限を下回ると、第３レンズ群のズーム変倍時の移動量が大きくなるので、小型化が困難となる。
【００７１】
各実施の形態に係るズームレンズ系は、以下の条件を満足することが望ましい。
−０．１＜ｆW／ｆ4＜−０．０５  ・・・（４）
ここで、
ｆ4：第４レンズ群の焦点距離、
ｆW：全系の広角端での焦点距離、
である。
【００７２】
条件（４）は、全系の焦点距離と第４レンズ群の焦点距離との比を規定する。条件（４）の上限を超えると、第４レンズ群の偏心誤差等による非点収差等の変化が大きくなり、また、物体側の第３レンズ群においても正のパワーが大きくなり偏心誤差等によるコマ収差の変化が大きくなる傾向となるので、製造時の必要コストが増大し好ましくない。また、条件（４）の下限を下回ると、フォーカス時の第４レンズ群の移動量が大きくなるので、小型化が困難となる。
【００７３】
各実施の形態に係るズームレンズ系は、以下の条件を満足することが望ましい。
０．０１＜ｆW／ｆ5＜０．１５  ・・・（５）
ここで、
ｆ5：第５レンズ群の焦点距離、
ｆW：全系の広角端での焦点距離、
である。
【００７４】
条件（５）は、全系の焦点距離と第５レンズ群の焦点距離との比を規定する。条件（５）の上限を超えると、完全なテレセントリックに近づくので、第５レンズ群の径が大きくなり、結果として小型化が困難となる。また、条件（５）の下限を下回ると、テレセントリックから離れ、特に周辺部の撮像素子への光線入射角度が大きくなるので、撮像素子の特性上好ましくない。
【００７５】
各実施の形態に係るズームレンズ系は、以下の条件を満足することが望ましい。
ＤＩＳW＜−８  ・・・（６）
ここで、
ＤＩＳW：広角端の最大像高での歪曲収差（％）、
である。
歪曲収差ＤＩＳWは、次式により求められる。
ＤＩＳW＝（Ｙ'−Ｙ）／Ｙ×１００  （単位％）
（ただし、Ｙ'：実像高  Ｙ：理想像高）
【００７６】
条件（６）の上限を超えると、歪曲収差の補正過剰となりコマ収差や非点収差の補正が困難になるので、小型化が困難となる。
【００７７】
各実施の形態に係るズームレンズ系は、以下の条件を満足することが望ましい。
２．３＜（Ｒ11＋Ｒ12）／（Ｒ11―Ｒ12）＜１０  ・・・（７）
ここで、
Ｒ11：第１レンズ群内で最も物体側のレンズ素子の物体側曲率半径、
Ｒ12：第１レンズ群内で最も物体側のレンズ素子の像側曲率半径、
である。
【００７８】
条件（７）は、第１レンズ群内で最も物体側のレンズ素子の形状を規定する。条件（７）の上限を超えると、該レンズ素子の径が大きくなり、またレンズ素子の加工が困難となるので、小型化が困難となると同時に製造コストが高価となるである。また、条件（７）の下限を下回ると、負の歪曲収差が大きく発生するので、歪曲収差補正が不十分となる。
【００７９】
各実施の形態に係るズームレンズ系は、以下の条件を満足することが望ましい。
２．３＜（Ｒ21＋Ｒ22）／（Ｒ21―Ｒ22）＜１０  ・・・（８）
ここで、
Ｒ21：第１レンズ群内で物体側から２番目のレンズ素子の物体側曲率半径、
Ｒ22：第１レンズ群内で物体側から２番目のレンズ素子の像側曲率半径、
である。
【００８０】
条件（８）は、第１レンズ群内で物体側から２番目のレンズ素子の形状を規定する。条件（８）の上限を超えると、該レンズ素子の径が大きくなり、またレンズ素子の加工が困難となるので、小型化が困難となると同時に製造コストが高価となるである。また、条件（８）の下限を下回ると、負の歪曲収差が大きく発生するので、歪曲収差補正が不十分となる。
【００８１】
各実施の形態に係るズームレンズ系は、以下の条件を満足することが望ましい。
２．３＜（Ｒ31＋Ｒ32）／（Ｒ31―Ｒ32）＜１０  ・・・（９）
ここで、
Ｒ31：第１レンズ群内で物体側から３番目のレンズ素子の物体側曲率半径、
Ｒ32：第１レンズ群内で物体側から３番目のレンズ素子の像側曲率半径、
である。
【００８２】
条件（９）は、第１レンズ群内で物体側から３番目のレンズ素子の形状を規定する。条件（９）の上限を超えると、該レンズ素子の径が大きくなり、またレンズ素子の加工が困難となるので、小型化が困難となると同時に製造コストが高価となるである。また、条件（９）の下限を下回ると、負の歪曲収差が大きく発生するので、歪曲収差補正が不十分となる。
【００８３】
各実施の形態に係るズームレンズ系は、以下の条件を満足することが望ましい。
１．４＜ＤＬ／ＹＭ＜２．５  ・・・（１０）
（ただし、１００＜２ωW＜１４０）
ここで、
ＤＬ：最も像側のレンズ面の有効径、
ＹＭ：広角端での最大像高、
ωW：広角端での半画角（°）、
である。
【００８４】
条件（１０）は、最も像側のレンズ面の有効径と最大像高との比を規定する。条件（１０）の上限を超えると、最も像側のレンズ径が大きくとなるので、小型化が困難となる。また、条件（１０）の下限を下回ると、光線入射角度が大きくなるのを回避するためにバックフォーカスを長くすることが必要になるので、小型化が困難となる。
【００８５】
各実施の形態に係るズームレンズ系は、以下の条件を満足することが望ましい。
１．２＜ＢＦW／ＹＭ＜１．６  ・・・（１１）
ここで、
ＢＦW：広角端でのバックフォーカス、
ＹＭ：広角端での最大像高、
ωW：広角端での半画角（°）、
である。
【００８６】
条件（１１）は、広角端でのバックフォーカスと最大像高との比を規定する。条件（１１）の上限を超えると、レトロフォーカスタイプの特性が大きくなり歪曲収差の補正が困難となるので、小型化が困難となる。また、条件（１１）の下限を下回ると、最も像側のレンズ表面に付着した異物（ゴミ）の影が撮影画像上で目立つようになるので、レンズ装置の交換時に異物の付着に留意する必要があるなど、交換レンズ装置の取り扱いが煩雑となる。
【００８７】
尚、各実施の形態に係るズームレンズ系の各レンズ群は、入射光線を屈折により変更させる屈折型レンズ素子（つまり、異なる屈折率を有する媒質同士の界面で偏向が行われるタイプのレンズ）のみで構成しても良いし、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類の組み合わせによって各レンズ群を構成して良い。
【００８８】
（実施の形態７）
図１３は、実施の形態７に係るレンズ交換式デジタルカメラシステムの概略構成図である。
【００８９】
本実施の形態に係るレンズ交換式デジタルカメラシステム１００（以下、単に「カメラシステム」という）は、カメラ本体１０１と、カメラ本体１０１に着脱自在に接続される交換レンズ装置２０１とを備える。
【００９０】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、上記の実施の形態１〜８のいずれかに係るズームレンズ系２０２と、ズームレンズ系２０２を保持する鏡筒と、カメラ本体のカメラマウント部１０４に接続されるレンズマウント部２０４とを含む。カメラマウント部１０４及びレンズマウント部２０４は、物理的な接続のみならず、カメラ本体内１０１のコントローラ（図示せず）と交換レンズ装置２０１内のコントローラ（図示せず）とを電気的に接続し、相互の信号のやり取りを可能とするインターフェースとしても機能する。
【００９１】
本実施の形態に係るカメラシステム１００は、実施の形態１〜８のいずれかに係るズームレンズ系２０２を備えているので、ライブビュー状態でのフォーカシング時に良好な光学像を表示することができる。
【実施例】
【００９２】
以下、実施の形態１〜６に係るズームレンズ系を具体的に実施した数値実施例を説明する。後述するように、数値実施例１〜６は、それぞれ実施の形態１〜６に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００９３】
【数１】
2010176097.tif 000003
ただし、数式中の各項によって表される事項は以下の通りである。
Ｚ：光軸からの高さがｈの非球面上の点から、非球面頂点の接平面までの距離
ｈ：光軸からの高さ
ｒ：頂点曲率半径
κ：円錐定数
Ａｎ：ｎ次の非球面係数
【００９４】
図２、４、６、８、１０、１２は、それぞれ数値実施例１、２、３、４、５、６に係るズームレンズ系の無限遠合焦状態の縦収差図である。
【００９５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９６】
（数値実施例１）
数値実施例１のズームレンズ系は、図１に示した実施の形態１に対応する。数値実施例１のズームレンズ系の面データを表１に、非球面データを表２に、各種データを表３に、単レンズデータを表４に、ズームレンズ群データを表５に、ズームレンズ群倍率を表６に示す。
【００９７】
表１  （面データ）
面番号         r           d           nd         vd
物面             ∞
1         32.61610     2.00000     1.80420    46.5 
2         20.03180     6.25890 
3         28.62190     1.80000     1.80420    46.5 
4         16.57000     2.64120 
5         20.52130     1.70000     1.80800    40.9 
6*        11.47060     7.78130 
7       -302.25460     1.05000     1.49700    81.6 
8         17.88820     0.26000 
9         18.09470     4.00840     1.80610    33.3 
10         60.79620        可変
11         19.24800     0.70000     1.74330    49.2 
12          6.77140     2.24910     1.67270    32.2 
13        170.51120     1.89140 
14(絞り)           ∞        可変
15       3979.65950     0.70000     1.84666    23.8 
16         13.78260     2.33950     1.51680    64.2 
17        -21.54820     1.31900 
18         -9.53570     0.80000     1.51680    64.2 
19         21.19960     2.89150     1.49700    81.6 
20        -15.02470     0.20000 
21        -58.86510     1.97180     1.49700    81.6 
22        -20.72310     0.20000 
23         41.66740     3.23430     1.49700    81.6 
24        -20.80500        可変
25         26.65630     0.80000     1.51823    59.0 
26         17.53640        可変
27         84.08090     0.90000     1.80518    25.5 
28         27.44430     3.57720     1.52300    70.1 
29*       -39.99340      BF 
像面             ∞
【００９８】
表２  （非球面データ）
第6面
K=-4.01413E-01, A4=-2.82803E-05, A6=-1.13654E-07, A8=-7.54243E-10
A10= 5.36525E-12, A12=-3.87978E-14 
第29面
K= 0.00000E+00, A4= 5.16711E-05, A6= 2.64198E-07, A8=-6.34113E-09
A10= 9.00687E-11, A12=-4.31222E-13
【００９９】
表３  （各種データ）
ズーム比     1.89190
広角      中間      望遠
焦点距離       7.2006    9.9053   13.6229
Ｆナンバー     4.00268   3.85380   4.09472
画角        59.0156   48.7020   38.1410
像高        10.8150   10.8150   10.8150
レンズ全長     95.5429   90.8643   89.7896
ＢＦ       15.38321  15.38860  15.39895
d10         19.2075    9.1749    1.9157 
d14          1.9913    2.0522    1.2990 
d24          2.5261    2.0100    1.8500 
d26          5.1612   10.9650   18.0524 
入射瞳位置     19.8078   18.7380   17.5657
射出瞳位置    -50.9354  -68.0300  -85.0516
前側主点位置   26.2266   27.4671   29.3411
後側主点位置   88.3423   80.9590   76.1668
【０１００】
表４  （単レンズデータ）
レンズ     始面     焦点距離
1         1      -69.4814
2         3      -52.4229
3         5      -35.1378
4         7      -33.9445
5         9       30.6741
6        11      -14.3986
7        12       10.4247
8        15      -16.3366
9        16       16.6409
10        18      -12.6150
11        19       18.1737
12        21       63.2652
13        23       28.4087
14        25     -101.9601
15        27      -50.9622
16        28       31.6971
【０１０１】
表５  （ズームレンズ群データ）
群   始面    焦点距離  レンズ構成長    前側主点位置  後側主点位置
1      1   -14.89596    27.49980         9.27046      14.76759
2     11    40.61921     4.84050        -0.45077       0.77074
3     15    22.48920    13.65610        11.20519      17.60033
4     25  -101.96007     0.80000         1.58769       1.84449
5     27    80.78660     4.47720         2.60670       4.21608
【０１０２】
表６  （ズームレンズ群倍率）
群   始面    広角       中間       望遠
1      1    0.00000    0.00000    0.00000
2     11   -7.04498    9.51959    3.52410
3     15    0.06774   -0.06597   -0.23278
4     25    1.25623    1.31323    1.38290
5     27    0.80635    0.80628    0.80616
【０１０３】
（数値実施例２）
数値実施例２のズームレンズ系は、図３に示した実施の形態２に対応する。数値実施例２のズームレンズ系の面データを表７に、非球面データを表８に、各種データを表９に、単レンズデータを表１０に、ズームレンズ群データを表１１に、ズームレンズ群倍率を表１２に示す。
【０１０４】
表７  （面データ）
面番号         r           d           nd         vd
物面             ∞
1         32.47020     2.00000     1.80420    46.5 
2         20.03180     6.27370 
3         28.59860     1.80000     1.80420    46.5 
4         16.57000     2.70090 
5         20.52130     1.70000     1.80800    40.9 
6*        11.44550     8.07250 
7       -100.75020     1.00000     1.49700    81.6 
8         19.58010     4.00410     1.80610    33.3 
9         92.88670        可変
10         18.85950     0.70000     1.74330    49.2 
11          6.74340     2.25040     1.67270    32.2 
12        116.25340     1.89560 
13(絞り)           ∞        可変
14        595.95060     0.70000     1.84666    23.8 
15         13.82680     2.34620     1.51680    64.2 
16        -21.12650     1.32080 
17         -9.70390     0.80000     1.51680    64.2 
18         20.99080     2.87260     1.49700    81.6 
19        -15.71880     0.20000 
20        -58.64710     1.97850     1.49700    81.6 
21        -20.62270     0.20000 
22         41.46940     3.23800     1.49700    81.6 
23        -20.82360        可変
24         26.64750     0.80000     1.51823    59.0 
25         17.53290        可変
26         81.82020     0.90000     1.80518    25.5 
27         27.27070     3.58130     1.52300    70.1 
28*       -40.37930      BF 
像面             ∞
【０１０５】
表８  （非球面データ）
第6面
K=-3.93507E-01, A4=-2.91092E-05, A6=-9.83771E-08, A8=-1.09494E-09
A10= 7.89710E-12, A12=-4.73408E-14 
第28面
K= 0.00000E+00, A4= 5.27176E-05, A6= 2.51049E-07, A8=-5.97520E-09
A10= 8.53715E-11, A12=-4.07934E-13
【０１０６】
表９  （各種データ）
ズーム比     1.88982
広角      中間      望遠
焦点距離       7.2052    9.9040   13.6166
Ｆナンバー     4.00224   3.85285   4.09430
画角        59.1763   48.7875   38.1653
像高        10.8150   10.8150   10.8150
レンズ全長     95.5329   90.8882   89.8292
ＢＦ       15.38680  15.39045  15.40348
d9          19.1344    9.1208    1.8888 
d13          1.9956    2.0689    1.2998 
d23          2.5108    2.0100    1.8500 
d25          5.1707   10.9634   18.0525 
入射瞳位置     19.8352   18.7716   17.6109
射出瞳位置    -50.5737  -67.7646  -84.7428
前側主点位置   26.2533   27.4959   29.3761
後側主点位置   88.3277   80.9842   76.2125
【０１０７】
表１０  （単レンズデータ）
レンズ     始面     焦点距離
1         1      -70.0446
2         3      -52.4889
3         5      -34.9551
4         7      -32.8954
5         8       30.0453
6        10      -14.4782
7        11       10.5544
8        14      -16.7280
9        15       16.5496
10        17      -12.7277
11        18       18.5672
12        20       62.9126
13        22       28.3825
14        24     -101.9672
15        26      -51.1776
16        27       31.6996
【０１０８】
表１１  （ズームレンズ群データ）
群   始面    焦点距離  レンズ構成長    前側主点位置  後側主点位置
1      1   -14.90085    27.55120         9.28790      14.66851
2     10    42.30042     4.84600        -0.60680       0.62440
3     14    22.37367    13.65610        11.04562      17.23657
4     24  -101.96715     0.80000         1.58811       1.84491
5     26    80.34236     4.48130         2.56393       4.17322
【０１０９】
表１２  （ズームレンズ群倍率）
群   始面    広角       中間       望遠
1      1    0.00000    0.00000    0.00000
2     10  -10.54686    7.04668    3.19613
3     14    0.04533   -0.08923   -0.25690
4     24    1.25690    1.31376    1.38348
5     26    0.80465    0.80460    0.80444
【０１１０】
（数値実施例３）
数値実施例３のズームレンズ系は、図５に示した実施の形態３に対応する。数値実施例３のズームレンズ系の面データを表１３に、非球面データを表１４に、各種データを表１５に、単レンズデータを表１６に、ズームレンズ群データを表１７に、ズームレンズ群倍率を表１８に示す。
【０１１１】
表１３  （面データ）
面データ
面番号         r           d           nd         vd
物面             ∞
1         30.44780     2.00000     1.80420    46.5 
2         18.87500     7.34890 
3         27.75750     1.92780     1.80420    46.5 
4         16.42880     3.26840 
5         19.60000     1.55000     1.80470    41.0 
6*        10.89970     7.72330 
7       -225.11440     1.89310     1.49700    81.6 
8         16.32060     3.99170     1.80610    33.3 
9         57.99910        可変
10         18.84770     0.70000     1.72342    38.0 
11          6.23040     2.36850     1.68400    31.3 
12        115.54490     1.70700 
13(絞り)           ∞        可変
14               ∞     0.70000     1.84666    23.8
15         13.71240     4.78040     1.51823    59.0 
16        -15.01690     1.13690 
17         -8.82940     0.80000     1.51680    64.2 
18        104.27750     3.14800     1.49700    81.6 
19        -12.21860     0.20000 
20         33.45760     3.28830     1.49700    81.6 
21        -21.12350        可変
22         30.94380     1.00000     1.58144    40.9 
23         19.52960        可変
24        -73.91420     1.00000     1.80518    25.5 
25        123.34430     3.41370     1.52500    70.3 
26*       -19.50200      BF 
像面             ∞
【０１１２】
表１４  （非球面データ）
第6面
K=-5.49068E-01, A4=-1.42254E-05, A6=-1.04715E-07, A8=-1.46986E-10
A10= 3.11013E-12, A12=-2.87242E-14 
第26面
K= 0.00000E+00, A4= 8.23200E-05, A6=-7.52604E-08, A8= 6.50947E-09
A10=-9.16057E-11, A12= 4.80195E-13
【０１１３】
表１５  （各種データ）
ズーム比     1.88906
広角      中間      望遠
焦点距離       7.2009    9.9186   13.6030
Ｆナンバー     4.03569   3.88161   4.13870
画角        58.9271   47.9004   37.3032
像高        10.8150   10.8150   10.8150
レンズ全長     96.5585   92.8958   92.3358
ＢＦ       15.38273  15.38116  15.38602
d9          18.0260    8.4931    1.4460 
d13          1.7982    2.1728    1.6710 
d21          2.4078    1.7000    1.7108 
d23          4.9978   11.2027   18.1760 
入射瞳位置     20.4341   19.4466   18.3521
射出瞳位置    -58.3885  -89.5091 -126.2034
前側主点位置   26.9321   28.4273   30.6482
後側主点位置   89.3576   82.9771   78.7328
【０１１４】
表１６  （単レンズデータ）
レンズ     始面     焦点距離
1         1      -66.9043
2         3      -54.1627
3         5      -33.1474
4         7      -30.5391
5         8       27.0196
6        10      -13.1720
7        11        9.5439
8        14      -16.1958
9        15       14.6636
10        17      -15.7133
11        18       22.2055
12        20       26.5851
13        22      -94.0884
14        24      -57.2713
15        25       32.3410
【０１１５】
表１７  （ズームレンズ群データ）
群   始面    焦点距離  レンズ構成長    前側主点位置  後側主点位置
1      1   -14.40374    29.70320        10.19859      16.32686
2     10    37.60170     4.77550        -0.50091       0.78179
3     14    22.69792    14.05360        11.13540      17.51424
4     22   -94.08838     1.00000         1.77131       2.11793
5     24    68.03402     4.41370         5.03396       6.83127
【０１１６】
表１８  （ズームレンズ群倍率）
群   始面    広角       中間       望遠
1      1    0.00000    0.00000    0.00000
2     10   -4.88114   20.55381    4.23608
3     14    0.10003   -0.03110   -0.19604
4     22    1.26498    1.33090    1.40509
5     24    0.80943    0.80945    0.80938
【０１１７】
（数値実施例４）
数値実施例４のズームレンズ系は、図７に示した実施の形態４に対応する。数値実施例４のズームレンズ系の面データを表１９に、非球面データを表２０に、各種データを表２１に、単レンズデータを表２２に、ズームレンズ群データを表２３に、ズームレンズ群倍率を表２４に示す。
【０１１８】
表１９  （面データ）
面番号         r           d           nd         vd
物面             ∞
1         33.73000     2.00000     1.80420    46.5 
2         20.50000     5.85990 
3         26.77380     1.80000     1.80420    46.5 
4         16.10000     4.64310 
5         19.60000     1.55000     1.80470    41.0 
6*        10.69470     8.26910 
7       -298.88690     1.26450     1.49700    81.6 
8         16.57410     5.66770     1.80610    33.3 
9         58.84120        可変
10         19.49320     0.70000     1.72342    38.0 
11          7.80550     4.16820     1.68400    31.3 
12*        65.51100     1.50600 
13(絞り)           ∞        可変
14        268.54290     0.70000     1.84666    23.8 
15         18.67540     2.51990     1.51823    59.0 
16        -12.40510     0.78790 
17         -9.47110     0.80000     1.51680    64.2 
18         12.00420     3.75020     1.49700    81.6 
19        -17.26890     0.20000 
20         38.76770     2.94440     1.49700    81.6 
21        -18.34760        可変
22         33.88100     1.00000     1.58144    40.9 
23         19.79670        可変
24       -205.25430     1.00000     1.80518    25.5 
25         58.31210     3.35500     1.52500    70.3 
26*       -23.17480      BF 
像面             ∞
【０１１９】
表２０  （非球面データ）
第6面
K=-4.41439E-01, A4=-3.54100E-05, A6= 1.15587E-07, A8=-3.74110E-09
A10= 2.31717E-11, A12=-9.50173E-14 
第12面
K= 0.00000E+00, A4= 4.91209E-05, A6=-2.40723E-06, A8= 1.65752E-07
A10=-4.61598E-09, A12= 0.00000E+00 
第26面
K= 0.00000E+00, A4= 7.10598E-05, A6= 6.08469E-08, A8=-1.63689E-09
A10= 4.66337E-11, A12=-2.92076E-13
【０１２０】
表２１  （各種データ）
ズーム比     1.88910
広角      中間      望遠
焦点距離       7.2001    9.8960   13.6017
Ｆナンバー     4.05005   4.05027   4.05142
画角        58.9987   48.4820   37.6168
像高        10.8150   10.8150   10.8150
レンズ全長     96.4352   91.3849   91.2929
ＢＦ       15.37255  15.84598  15.85089
d9          17.9459    8.0821    1.5843 
d13          2.1001    1.9877    1.1500 
d21          1.7000    2.0393    1.7000 
d23          4.8308    8.9439   16.5218 
入射瞳位置     20.1706   19.2415   18.3453
射出瞳位置    -39.9985  -51.4394  -71.3834
前側主点位置   26.4345   27.6821   29.8262
後側主点位置   89.2352   81.4889   77.6912
【０１２１】
表２２  （単レンズデータ）
レンズ     始面     焦点距離
1         1      -69.6856
2         3      -54.2988
3         5      -31.7123
4         7      -31.5544
5         8       27.0070
6        10      -18.4597
7        11       12.5859
8        14      -23.7367
9        15       14.7927
10        17      -10.1157
11        18       14.8816
12        20       25.4941
13        22      -84.1001
14        24      -56.3032
15        25       32.0423
【０１２２】
表２３  （ズームレンズ群データ）
群   始面    焦点距離  レンズ構成長    前側主点位置  後側主点位置
1      1   -14.24164    31.05430         9.85997      16.74252
2     10    44.08317     6.37420        -1.41896       0.69708
3     14    21.93528    11.70240         8.51387      12.79729
4     22   -84.10010     1.00000         1.56191       1.91263
5     24    69.44057     4.35500         4.15667       5.84080
【０１２３】
表２４  （ズームレンズ群倍率）
群   始面    広角       中間       望遠
1      1    0.00000    0.00000    0.00000
2     10  -44.20775    4.97181    2.86917
3     14    0.01098   -0.12954   -0.28937
4     22    1.30241    1.36019    1.45039
5     24    0.80002    0.79320    0.79313
【０１２４】
（数値実施例５）
数値実施例５のズームレンズ系は、図９に示した実施の形態５に対応する。数値実施例５のズームレンズ系の面データを表２５に、非球面データを表２６に、各種データを表２７に、単レンズデータを表２８に、ズームレンズ群データを表２９に、ズームレンズ群倍率を表３０に示す。
【０１２５】
表２５  （面データ）
面番号         r           d           nd         vd
物面             ∞
1         32.53230     2.00000     1.80420    46.5 
2         20.50000     5.29920 
3         24.93130     1.80000     1.80420    46.5 
4         16.00000     6.77330 
5         30.03360     1.93360     1.80470    41.0 
6*        14.19960     6.83460 
7        -81.80750     1.29550     1.49700    81.6 
8         29.31440     4.06670     1.80610    33.3 
9        213.26320        可変
10         19.05720     0.70000     1.72623    54.8 
11          6.93710     3.42900     1.63182    34.7 
12*       696.48680     1.35570 
13(絞り)           ∞        可変
14       -631.44520     0.70000     1.84666    23.8 
15         17.41730     2.50600     1.53594    50.3 
16        -12.21090     1.02130 
17         -7.38790     0.80000     1.51742    52.1 
18         24.34430     4.39930     1.49700    81.6 
19        -10.50450     0.20000 
20         55.10800     3.00710     1.49700    81.6 
21        -19.57410        可変
22         40.60470     1.00000     1.58144    40.9 
23         23.96040        可変
24        233.55820     1.00000     1.80518    25.5 
25         34.11090     0.77000 
26         79.43180     2.32080     1.52500    70.3 
27*       -28.67840      BF 
像面             ∞
【０１２６】
表２６  （非球面データ）
第6面
K= 0.00000E+00, A4=-4.43286E-05, A6=-1.05536E-07, A8=-2.37863E-09
A10= 1.94014E-11, A12=-8.16832E-14 
第12面
K= 0.00000E+00, A4=-3.18703E-07, A6=-1.05633E-06, A8=-1.75650E-08
A10= 0.00000E+00, A12= 0.00000E+00 
第27面
K= 0.00000E+00, A4= 6.73656E-05, A6= 4.76084E-07, A8=-6.30642E-09
A10= 5.53166E-11, A12= 0.00000E+00
【０１２７】
表２７  （各種データ）
ズーム比     1.88916
広角      中間      望遠
焦点距離       7.2007    9.8948   13.6032
Ｆナンバー     4.05157   4.05172   4.05114
画角        59.0196   48.8263   38.1892
像高        10.8150   10.8150   10.8150
レンズ全長     98.5596   90.7884   87.2555
ＢＦ       15.36996  15.68211  15.43608
d9          20.5242    9.1837    1.4783 
d13          3.0469    2.6786    1.4085 
d21          1.9738    2.0576    1.7000 
d23          4.4326    7.9743   14.0205 
入射瞳位置     21.2510   20.1148   18.9129
射出瞳位置    -42.7313  -46.3055  -48.8643
前側主点位置   27.5593   28.4301   29.6382
後側主点位置   91.3589   80.8936   73.6523
【０１２８】
表２８  （単レンズデータ）
レンズ     始面     焦点距離
1         1      -74.4367
2         3      -61.0190
3         5      -35.3977
4         7      -43.2556
5         8       41.7491
6        10      -15.3935
7        11       11.0686
8        14      -20.0096
9        15       13.8012
10        17      -10.8607
11        18       15.4108
12        20       29.4558
13        22     -102.8018
14        24      -49.7209
15        26       40.4334
【０１２９】
表２９  （ズームレンズ群データ）
群   始面    焦点距離  レンズ構成長    前側主点位置  後側主点位置
1      1   -14.95255    30.00290        10.49730      16.54644
2     10    41.90590     5.48470        -0.32700       1.30559
3     14    20.56078    12.63370         9.79278      15.07317
4     22  -102.80183     1.00000         1.57746       1.93084
5     24   181.29625     4.09080         8.72778      10.25289
【０１３０】
表３０  （ズームレンズ群倍率）
群   始面    広角       中間       望遠
1      1    0.00000    0.00000    0.00000
2     10   -6.25432    9.03108    3.39440
3     14    0.06686   -0.06181   -0.21607
4     22    1.21332    1.25115    1.30730
5     24    0.94921    0.94749    0.94885
【０１３１】
（数値実施例６）
数値実施例６のズームレンズ系は、図１１に示した実施の形態６に対応する。数値実施例６のズームレンズ系の面データを表３１に、非球面データを表３２に、各種データを表３３に、単レンズデータを表３４に、ズームレンズ群データを表３５に、ズームレンズ群倍率を表３６に示す。
【０１３２】
表３１  （面データ）
面番号         r           d           nd         vd
物面             ∞
1         35.59120     2.00000     1.80420    46.5 
2         19.60000     6.20930 
3*        46.52590     2.00000     1.80470    41.0 
4         18.71380     3.37540 
5         25.12170     1.00000     1.80420    46.5 
6         18.02350     7.21140 
7        -34.36390     1.00000     1.49700    81.6 
8         76.37600     2.05840     1.84666    23.8 
9        551.50130        可変
10*       157.15760     2.55990     1.62628    46.4 
11         -6.95040     0.70000     1.71758    55.1 
12        -24.79060        可変
13(絞り)           ∞     6.00000
14         99.20010     0.70000     1.84505    24.2 
15         20.82540     6.70280     1.55487    64.3 
16        -20.27800     0.20000 
17         21.98820     1.81340     1.72799    28.1 
18         89.55920        可変
19*       -49.61050     1.88350     1.49700    81.6 
20        -16.09080     0.20000 
21        -36.25520     0.70000     1.49700    81.6 
22        -50.08650     1.00000     1.82611    25.3 
23         16.18320     1.15230 
24         41.30550     3.13680     1.48890    70.3 
25        -21.08640      BF 
像面             ∞
【０１３３】
表３２  （非球面データ）
第3面
K= 0.00000E+00, A4= 1.56544E-05, A6= 1.56679E-08, A8= 1.10484E-10
A10=-6.49881E-13, A12= 1.43574E-15 
第10面
K= 0.00000E+00, A4=-1.03960E-06, A6=-1.13322E-07, A8= 4.24478E-08
A10= 0.00000E+00, A12= 0.00000E+00 
第19面
K= 0.00000E+00, A4=-6.89822E-05, A6=-4.22724E-07, A8= 6.04668E-09
A10= 0.00000E+00, A12= 0.00000E+00
【０１３４】
表３３  （各種データ）
ズーム比     1.94428
広角      中間      望遠
焦点距離       7.5030   10.4480   14.5880
Ｆナンバー     4.05212   4.05214   4.05235
画角        58.1750   48.3024   37.2049
像高        10.8150   10.8150   10.8150
レンズ全長    100.5550   92.5102   88.7805
ＢＦ       19.65911  20.44391  21.39269
d9          22.7797   10.9625    2.4000 
d12          4.0409    4.2922    4.2922 
d18          2.4721    5.2084    9.0924 
入射瞳位置     18.7789   17.9213   16.8818
射出瞳位置    -29.4478  -31.1871  -33.5144
前側主点位置   25.1355   26.2550   27.5940
後側主点位置   93.0520   82.0622   74.1925
【０１３５】
表３４  （単レンズデータ）
レンズ     始面     焦点距離
1         1      -57.4468
2         3      -40.1923
3         5      -84.6334
4         7      -47.5446
5         8      104.5015
6        10       10.6920
7        11      -13.6837
8        14      -31.3205
9        15       19.6603
10        17       39.5850
11        19       47.0403
12        21     -268.6786
13        22      -14.7054
14        24       29.0330
【０１３６】
表３５  （ズームレンズ群データ）
群   始面    焦点距離  レンズ構成長    前側主点位置  後側主点位置
1      1   -12.50248    24.85450         9.28615      14.61265
2     10    50.49791     3.25990         1.86473       3.12977
3     13    20.66907    15.41620        10.95416      14.51666
4     19   -87.88159     8.07260        -5.69078      -4.43423
【０１３７】
表３６  （ズームレンズ群倍率）
群   始面    広角       中間       望遠
1      1    0.00000    0.00000    0.00000
2     10   16.24168    3.38314    2.14987
3     13   -0.02705   -0.17965   -0.39166
4     19    1.36601    1.37494    1.38574
【０１３８】
以下の表３７に、各数値実施例に係るズームレンズ系における各条件の対応値を示す。
【０１３９】
表３７  （条件の対応値：数値実施例１〜６）
【表１】
2010176097.tif 000004
【産業上の利用可能性】
【０１４０】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【図面の簡単な説明】
【０１４１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施の形態２（実施例２）に係るズームレンズ系の無限遠合焦状態を示すレンズ配置図
【図４】実施例２に係るズームレンズ系の無限遠合焦状態の縦収差図
【図５】実施の形態３（実施例３）に係るズームレンズ系の無限遠合焦状態を示すレンズ配置図
【図６】実施例３に係るズームレンズ系の無限遠合焦状態の縦収差図
【図７】実施の形態４（実施例４）に係るズームレンズ系の無限遠合焦状態を示すレンズ配置図
【図８】実施例４に係るズームレンズ系の無限遠合焦状態の縦収差図
【図９】実施の形態５（実施例５）に係るズームレンズ系の無限遠合焦状態を示すレンズ配置図
【図１０】実施例５に係るズームレンズ系の無限遠合焦状態の縦収差図
【図１１】実施の形態６（実施例６）に係るズームレンズ系の無限遠合焦状態を示すレンズ配置図
【図１２】実施例６に係るズームレンズ系の無限遠合焦状態の縦収差図
【図１３】実施の形態７に係るレンズ交換式デジタルカメラシステムの概略構成図
【符号の説明】
【０１４２】
１００  レンズ交換式デジタルカメラシステム
１０１  カメラ本体
１０２  撮像素子
１０４  カメラマウント部
２０１  交換レンズ装置
２０２  ズームレンズ系
【図１】
2010176097.tif 000005
【図２】
2010176097.tif 000006
【図３】
2010176097.tif 000007
【図４】
2010176097.tif 000008
【図５】
2010176097.tif 000009
【図６】
2010176097.tif 000010
【図７】
2010176097.tif 000011
【図８】
2010176097.tif 000012
【図９】
2010176097.tif 000013
【図１０】
2010176097.tif 000014
【図１１】
2010176097.tif 000015
【図１２】
2010176097.tif 000016
【図１３】
2010176097.tif 000017